(57)【要約】【課題】  直流電力によって動作する負荷装置に電源トラブルが発生したとき直流バックアップ電力を供給する直流無停電電源装置を提供する。【解決手段】  負荷装置Ａが要求する電圧が得られるように複数の二次電池１０を直列接続した電池パック２を着脱自在に筐体内に収容し、各電池パック２の出力を放電制御部４により所定電圧に調整して並列接続して負荷装置Ａの電源線路に接続する。各電池パック２は情報伝送線路で電源管理部３に接続され、充放電制御すると共に寿命判定され、寿命判定された電池パック２のみを取り外して交換することができる。【選択図】  図１
2005176461.tif 000002
【特許請求の範囲】
【請求項１】
交流電力源から供給される交流電力を直流電力に変換するＡＣ／ＤＣ変換装置から給電される直流電力により動作する負荷装置に、電力供給の異常発生時にバックアップ電力を供給する直流無停電電源装置であって、
前記負荷装置が要求する電源電圧に対応する出力電圧が得られるように複数の二次電池を組み合わせた電池群をパックケース内に収容すると共に、この電池群の情報を記憶する記憶手段と、電池群の動作状態を検出する検出手段とを備えて電池パックが構成され、
所要数の前記電池パックをそれぞれ個別に所定方向から着脱自在に収容する電池パック収納部を備えた筐体内に、装着された電池パックに電力線路及び情報伝送線路を接続する接続手段と、電池パックに充電電力を供給する充電回路と、電池パックから出力される電池電力を所定電圧に調整する放電回路と、充電回路、放電回路、電池パック及び全体の動作を制御して電力管理を行う電源管理手段とを備えてなることを特徴とする直流無停電電源装置。
【請求項２】
電池収納部に装着された複数の電池パックは放電回路を介して並列接続され、通電状態での着脱を可能とした請求項１に記載の直流無停電電源装置。
【請求項３】
放電回路は、電池パックからの放電電流が均等になるように制御する請求項１又は２に記載の直流無停電電源装置。
【請求項４】
接続手段は、電池パックの離脱時に情報伝送線路を先に切り離した後、電力線路の接続を切り離し、電池パックの装着時に電力線路を先に接続した後、情報伝送線路を接続する請求項１又は２に記載の直流無停電電源装置。
【請求項５】
電池パックは少なくとも２つの記憶手段を備え、記憶手段に対する書き込みは一方の記憶手段に対しての書き込みが終了した後、書き込まれた情報により他方の記憶手段の記憶情報を更新する請求項１又は４に記載の直流無停電電源装置。
【請求項６】
負荷装置の最大消費電力に対応して電池パックの装着数を増減させる請求項１〜５いずれか一項に記載の直流無停電電源装置。
【請求項７】
バックアップ電力の電圧は、ＡＣ／ＤＣ変換装置から負荷装置に給電される直流電力の電圧より低くなるように設定されてなる請求項１に記載の直流無停電電源装置。
【請求項８】
バックアップ電力出力端から負荷装置に給電される直流電力の電力線路に向けて順方向となるように逆流防止ダイオードが接続されてなる請求項７に記載の直流無停電電源装置。
【請求項９】
電池パックに対する充電電力は、ＡＣ／ＤＣ変換装置から得るように構成されてなる請求項１に記載の直流無停電電源装置。
【請求項１０】
電池パックに対する充電電力は、交流電力源から得るように構成されてなる請求項１に記載の直流無停電電源装置。
【請求項１１】
複数の電池パックに対する充電は、順次切り換えによってなされる請求項１に記載の直流無停電電源装置。
【請求項１２】
吸気口から各二次電池を通過して排気口に抜ける送風構造が電池パック及び／又は筐体に形成されてなる請求項１に記載の直流無停電電源装置。
【請求項１３】
電源管理手段は、電池パックから得られる情報及び／又はインピーダンス測定に基づいて各電池パックの寿命判定を実行し、寿命判定された電池パックの交換表示を行う請求項１に記載の直流無停電電源装置。
【請求項１４】
電源管理手段は、電池パックから電流値が異なるパルス放電を実行させたときの電圧降下の差からインピーダンスを求め、所定値との比較により寿命判定する請求項１３に記載の直流無停電電源装置。
【発明の詳細な説明】
【技術分野】
【０００１】
本発明は、交流電力源から供給される交流電力を直流電力に変換するＡＣ／ＤＣ変換装置から給電される直流電力により動作する負荷装置に、電力供給の異常が発生したときにバックアップ電力を供給する直流無停電電源装置に関するものである。
【背景技術】
【０００２】
電力供給の遮断によりデータ破壊などの重大な障害が発生する恐れがあるコンピュータなどを電源トラブルから保護するために無停電電源装置が用いられており、常時インバータ給電方式、ラインインタラクティブ方式、常時商用電力給電方式のものが知られている。これらの無停電電源装置はインバータを備え、商用電力に停電等の障害が生じたとき蓄電池に蓄えられた直流電力をインバータにより交流電力に変換してコンピュータなどの負荷装置に供給する。
【０００３】
このような無停電源装置において、蓄電池は常時充電された状態に管理され、電源トラブルが生じた際に放電できるように待機している。しかし、蓄電池はその耐用年数が３〜６年であり、使用状態や保管状態によっても劣化状態に差が生じるので、劣化状態を監視して劣化が進行した蓄電池を交換できるように構成される。
【０００４】
無停電電源装置における蓄電池の交換を可能にする従来技術として、ケースのバッテリ収納部に複数の蓄電池を収容したバッテリボックスを進退自在に設け、蓄電池を交換するときには、バッテリボックスを引き出すとコンタクトソケットからコンタクトピンが抜け出して電気的接続が外れ、バッテリボックス内の古い蓄電池を新しい蓄電池に交換した後、バッテリボックスをバッテリ収納部に挿入すると、コンタクトソケットにコンタクトピンが挿入されて電気的接続がなされるようにした電源装置が知られている（特許文献１参照）。
【特許文献１】特開平１１−１９５４４２号公報（第２〜５頁、図１）
【発明の開示】
【発明が解決しようとする課題】
【０００５】
上記従来技術による蓄電池の交換は、全ての蓄電池を一括して取り出し、その中の劣化した蓄電池を交換するように構成されているため、蓄電池の数が多くなると重く大きなバッテリボックスを出し入れする作業が伴い、電源装置を分解することなく電池交換を可能とした利点が生かされているとはいい難い。また、複数の蓄電池の接続を外して電池交換し、再び接続を行う必要があるなど交換作業は容易でない。また、異常や劣化が生じた蓄電池の識別や表示がなく、通電を遮断して電池交換を行うことになるため、ユーザの手によって電池交換を行うことは困難である。
【０００６】
本発明が目的とするところは、蓄電池の劣化を監視して劣化が生じた蓄電池のみを任意のタイミングで簡単に交換できるようにした直流無停電電源装置を提供することにある。
【課題を解決するための手段】
【０００７】
上記目的を達成するための本発明は、交流電力源から供給される交流電力を直流電力に変換するＡＣ／ＤＣ変換装置から給電される直流電力により動作する負荷装置に、電力供給の異常発生時にバックアップ電力を供給する直流無停電電源装置であって、前記負荷装置が要求する電源電圧に対応する出力電圧が得られるように複数の二次電池を組み合わせた電池群をパックケース内に収容すると共に、この電池群の情報を記憶する記憶手段と、電池群の動作状態を検出する検出手段とを備えて電池パックが構成され、所要数の前記電池パックをそれぞれ個別に所定方向から着脱自在に収容する電池パック収納部を備えた筐体内に、装着された電池パックに電力線路及び情報伝送線路を接続する接続手段と、電池パックに充電電力を供給する充電回路と、電池パックから出力される電池電力を所定電圧に調整する放電回路と、充電回路、放電回路、電池パック及び全体の動作を制御して電力管理を行う電源管理手段とを収容してなることを特徴とする。
【０００８】
上記構成によれば、二次電池は電池情報の記憶や動作状態を検出する手段と共に電池パックとして構成され、電池パックは装着されると情報伝送線路に接続する電源管理手段により電池情報及び動作情報が読み取られ情報が書き込み更新され、異常発生や劣化の進行も把握することができる。異常や劣化が検出されたときには該当する電池パックのみを筐体から離脱させると接続手段により電力線路及び情報伝送線路の接続が切り離され、交換した新たな電池パックを装着すると電力線路及び情報伝送線路が接続される。電源管理手段は各電池パックの情報に基づいて充電回路及び放電回路を制御するので、電池パックは満充電状態で待機して電源トラブルが生じたときにはバックアップ電力を供給することができる。
【０００９】
上記構成において、電池収納部に装着された複数の電池パックは放電回路を介して並列接続され、通電状態での着脱を可能としているので、電池パックの交換は随時可能であり、放電回路を介して並列接続されることにより、充電状態や劣化状態により出力電圧にバラツキが生じやすい二次電池であっても一定の出力電圧の状態で並列接続され、所定電圧のバックアップ電力を出力することができる。
【００１０】
また、放電回路は、電池パックからの放電電流が均等になるように制御するので、複数の電池パックからの放電電力が均等化され、特定の電池パックに放電電流が集中することがない。
【００１１】
また、接続手段は、電池パックの離脱時に情報伝送線路を先に切り離した後、電力線路の接続を切り離し、電池パックの装着時に電力線路を先に接続した後、情報伝送線路を接続するように構成することにより、通電状態で電池パックの交換を行っても情報伝送に不具合を発生させることない。
【００１２】
また、電池パックは少なくとも２つの記憶手段を備え、記憶手段に対する書き込みは一方の記憶手段に対しての書き込みが終了した後、書き込まれた情報により他方の記憶手段の記憶情報を更新するように構成することが好適であり、情報の書き込み途中で電池パックの交換がなされた場合でも不完全な情報記憶が発生することがなく、交換した電池パックから異常や劣化を生じた原因を求めることが可能となる。
【００１３】
また、負荷装置の最大消費電力に対応して電池パックの装着数を増減させることができ、必要以上の電力容量を形成することによるコスト増加や装置の肥大化を抑制することができる。
【００１４】
また、バックアップ電力の電圧は、ＡＣ／ＤＣ変換装置から負荷装置に給電される直流電力の電圧より低くなるように設定することにより、交流電力源やＡＣ／ＤＣ変換装置のトラブルによりＡＣ／ＤＣ変換装置からの給電が停止したとき、直流無停電電源装置からのバックアップ電力を瞬断を発生させることなく負荷装置に供給することができる。
【００１５】
また、バックアップ電力出力端から負荷装置に給電される直流電力の電力線路に向けて順方向となるように逆流防止ダイオードを接続することにより、ＡＣ／ＤＣ変換装置から直流電力が流入することが防止できる。
【００１６】
また、電池パックに対する充電電力は、ＡＣ／ＤＣ変換装置から得るように構成すると直流無停電電源装置の構成を簡略化することができる。しかし、ＡＣ／ＤＣ変換装置の負担を大きくするので、電池パックに対する充電電力は、交流電力源から得るように構成することがより好ましい構成となる。
【００１７】
また、複数の電池パックに対する充電は、充電対象電池パックの切り換えによって実施することが望ましく、充電回路や充電電源の負担を軽減することができ、充電量が減少した電池パックのみを充電することも可能となる。
【００１８】
また、吸気口から各二次電池を通過して排気口に抜ける送風構造を電池パック及び／又は筐体に形成することにより、温度によって特性変化が生じやすい二次電池を最適温度状態に維持して充放電を円滑に行うことができる。
【００１９】
また、電源管理手段は、電池パックから得られる情報及び／又はインピーダンス測定に基づいて電池パックの寿命判定を実行し、寿命判定された電池パックの交換表示を行うように構成することにより、複数の電池パックの中から交換対象となったものを表示してユーザに交換を促すことができる。寿命判定は電池パックに記憶されている製造時期や充放電回数から判断することも、インピーダンス測定により判断することもできるので、それらを適宜選択又は組み合わせて総合的に判断することができる。前記インピーダンス測定は、電池パックから電流値が異なるパルス放電を実行させたときの電圧降下の差から求めることができ、求められたインピーダンスと所定値との比較により寿命判定することが好適な手段となる。
【発明の効果】
【００２０】
本発明によれば、負荷装置が要求する電圧の直流電力を出力する複数の二次電池と共に情報記憶及び動作状態検出の手段を一体化した電池パックを所要数並列接続しているので、各電池パック毎の異常や劣化の状態を検出して交換対象を抽出することができ、交換対象となった電池パックを随時交換することができる。交換作業は対象となる電池パックのみを取り出して新たな電池パックに入れ替えるだけなので、ユーザの手によって容易に交換作業を実施することができる。
【発明を実施するための最良の形態】
【００２１】
図１は、実施形態に係る直流無停電電源装置１の構成を示すもので、コンピュータ装置である負荷装置Ａの電力源に停電等の電源トラブルが発生した際のバックアップ電源として構成されている。負荷装置Ａは商用電力をＡＣ／ＤＣ変換装置Ｂによって直流変換された直流電力が給電されることによって動作し、交流電力源である商用電力に停電等の電源トラブルが発生した際には直流無停電電源装置１から直流電力を給電して、負荷装置Ａにデータ破壊等の損害が発生するのを防止する。
【００２２】
直流無停電電源装置１は、負荷装置Ａが要求する直流電源電圧に対応する電圧の直流電力を出力する所要数の電池パック２が装着され、各電池パック２が備える二次電池１０に対して充電電力を出力する充電制御部５と、各電池パック２から出力される出力電圧をそれぞれ所定電圧に調整する複数の放電制御部４と、充電制御部５、放電制御部４及び各電池パック２の充放電を制御し、その動作状態を監視すると共に、直流無停電電源装置１の全体動作を管理する電源管理部３とを備えて構成されている。
【００２３】
前記電池パック２は、図２に示すように、複数の二次電池１０を直列接続して所要の出力電圧が得られるように構成されている。また、二次電池１０の製造時期、使用開始時期、ＩＤ番号等の固有情報や充電回数、放電回数等の動作情報を記憶すると共に電源管理部３との間で情報の入出力を行う電池管理回路１１が設けられ、電池温度を検出する温度センサ２２やヒューズ２３等の保護手段が設けられている。この電池パック２は負荷装置Ａの最大消費電力を上回る直流電力を供給できる数が直流無停電電源装置１に装着される。
【００２４】
前記二次電池１０として、円筒形のニッケル−水素蓄電池が適用されており、図３に示すように、３０本の二次電池１０を直列接続してパックケース１２内に配置し、ヒューズ２３などの安全保護素子や二次電池１０の温度を検出する温度センサ２２を要所に配置すると共に、前記電池管理回路１１を基板上に構成した回路基板１１ａをパックケース１２に収容して電池パック２が構成される。
【００２５】
上記構成になる電池パック２は、図４に示すように、直流無停電電源装置１に対して複数台が着脱可能に装着される。ここでは、図１に示すように、６台の電池パック２が装着されているが、負荷装置Ａの最大消費電力が小さい場合には、装着数を減らすことも可能である。電池パック２の着脱は、直流無停電電源装置１の前面から個々の電池パック２毎に行うことができ、且つ直流無停電電源装置１の通電状態でも可能である。筐体６の正面側には所要数の電池パック２を収容する空間を形成する電池パック収納部７が設けられており、筐体６の正面開口部から電池パック２を挿入すると、電池パック２は図示しないスライドレール上を摺動して電池パック収納部７に装着され、図５に示すように、電池パック２の背面に設けられた電力接続プラグ１３及び信号接続プラグ１４が電池パック収納部７の底面に設けられた電力接続ソケット１５及び信号接続ソケット１６にそれぞれ挿入され、電力線路の接続と情報伝送線路の接続とがなされる。図示するように、電力接続プラグ１３は信号接続プラグ１４よりその突出長さが大きく設定されており、電池パック２の装着時には電力線路の接続が先になされた後に情報伝送線路の接続がなされるため、情報伝送線路の接続より後に電源接続がなされることによる不具合の発生が防止される。また、電池パック２の離脱時には、情報伝送線路の接続が先に切り離された後に電力線路の接続が切り離されるので、情報伝送線路の接続がなされている状態で電力線路の接続が切り離されることによる不具合の発生が防止される。
【００２６】
また、二次電池１０は充放電により発熱を生じ、特に複数個の電池が密集配置されている状態では互いの発熱が影響して温度上昇し、電池性能を低下させることになるので、二次電池１０の放熱を促す放熱構造が設けられている。図３に示すように、パックケース１２の正面側には複数の吸気口２４が形成され、背面側には排気口２５が設けられている。筐体６の背面に排気ファン２６を設けて筐体６内の空気を排気すると、吸気口２４から流入した外気は各二次電池１０の周囲を流れてその熱を奪って排気口２５から筐体６内を経て外部に排出される。前記排気ファン２６は電池パック２それぞれの背面にも設けてもよく、より効果的に放熱を行うことができる。また、温度センサ２２が検出する電池温度に基づいて排気ファン２６を制御すると、二次電池１０を最適温度に保つことができる。
【００２７】
各電池パック２から出力される出力電圧は、二次電池１０の充電状態や劣化状態によって出力電圧にバラツキが生じるので、各電池パック２の出力電圧が所定の電圧になるように各電池パック２の電力線路には放電制御部４が接続され、この放電制御部４を介して各電池パック２の出力電力は並列に接続され、バックアップ電力出力端子１７から負荷装置Ａの電源入力に接続される。ここでは前記放電制御部４はＤＣ／ＤＣ変換回路として構成され、放電制御回路４の出力電圧はＡＣ／ＤＣ変換装置Ｂの直流出力電圧よりやや低い電圧となるように制御される。従って、商用電力に停電等の電源トラブルが発生していない状態では、負荷装置ＡにはＡＣ／ＤＣ変換装置Ｂから直流電力が給電され、この給電が停電等により停止したときには、瞬断を生じさせることなく直流無停電電源装置１から直流電力が負荷装置Ａに給電される。
【００２８】
また、図６に示すように、放電制御部４と前記バックアップ電力出力端子１７との間に、放電制御部４から前記バックアップ電力出力端子１７に向けて順方向となるように逆流防止ダイオード９を接続してＡＣ／ＤＣ変換装置Ｂから直流電力が逆流することを防止するように構成することもできる。
【００２９】
電源トラブルの発生により直流無停電電源装置１からバックアップ電力が負荷装置Ａに供給された状態は電源管理部３により検出され、情報出力端子１８から通信接続された負荷装置Ａに情報伝送される。負荷装置Ａではバックアップ電力に切り換えられた情報が入力されて所定時間が経過してもＡＣ／ＤＣ変換装置Ｂからの給電がない場合、自己終了制御により負荷装置Ａの動作を終了させる。直流無停電電源装置１によってバックアップ電力が供給できる時間は限られており、負荷装置Ａにはバックアップ電力の供給が停止される以前に自己終了制御がなされるソフトウエアが設けられる。また、直流無停電電源装置１においても各電池パック２が過放電状態に陥ることを防止するため、電源管理部３は各電池パック２から出力される情報から過放電状態になる電池パック２が検出された場合には直流無停電電源装置１からのバックアップ電力の出力を停止する。
【００３０】
電池パック２から放電がなされて充電量が減少した場合、あるいは自己放電、暗電流によって充電量が減少した場合には、充電制御部５からＡＣ／ＤＣ変換装置Ｂの出力電力を用いた充電がなされる。電池パック２に対する充電は、直流無停電電源装置１が設置されたときの初期充電や電源トラブルによるバックアップ電力の出力による放電後には、満充電になるまで充電され、待機状態での自己放電や暗電流により満充電状態から充電量が約２０％減少したときには補充充電がなされる。
【００３１】
電池パック２の充電は、バックアップ電力の放電がなされた後では、各電池パック２の充電量が減少しているので、全ての電池パック２に対する充電がなされる。電源管理部３及び充電制御部５は各電池パック２に対する充電を実行する。電源管理部３は電池パック２毎に設けられた充電スイッチ８を順番に閉じ、充電する電池パック２に対する充電回路を形成して充電制御部５から供給される直流電力により充電を開始する。各電池パック２に対する充電は所定時間毎に充電する電池パック２を切り換え、これを繰り返すことによって全ての電池パック２が満充電状態となるように充電する。充電状態における各電池パック２の電池電圧、電池温度、充電電流は情報伝送線路で接続された電源管理部３によって検出されるので、電源管理部３は各電池パック２に対する充電を制御して各電池パック２が満充電状態になるまで充電動作を継続する。
【００３２】
各電池パック２と電源管理部３とを情報接続する情報伝送線路は、図２に示すように、電池電圧、電池温度の検出データの伝送線路と電池管理回路１１に対する情報の入出力線路を設けて構成されているので、電源管理部３は充電量が減少した状態を電池パック２毎に検出することができ、充電量が満充電状態から約２０％減少したことが検出されたときには、電源管理部３は対象となる電池パック２に対応する充電スイッチ８を閉じ、充電制御部５から充電電力を供給して充電を開始する。
【００３３】
上記構成においては、電池パック２を充電する直流電力源をＡＣ／ＤＣ変換装置Ｂとしているが、図６に示すように、充電制御部５に商用電力に接続する充電電力電源２０から充電電力を供給することもできる。この構成を実施した場合には、直流無停電電源装置１の動作電力も充電電力電源２０から得るようにするのが好ましい。この構成によりＡＣ／ＤＣ変換装置Ｂに充電電力の供給を負担させる必要がなく、充電電力の発生による電圧変動が負荷装置Ａに対する電力供給に影響することがなくなる。
【００３４】
上記構成になる直流無停電電源装置１はＥＩＡ規格のラックに取り付けることができるように構成され、ラック上にＡＣ／ＤＣ変換装置Ｂと共に取り付けたコンピュータネットワークのサーバコンピュータのバックアップ電源を構成するのに好適なものとなる。ＡＣ／ＤＣ変換装置Ｂの故障やその交流電力源である商用電力に停電等のトラブルが発生した場合には、瞬断を生じさせることなく直流無停電電源装置１から負荷装置Ａに直流電力を給電できる状態が維持されていることが要求される。従って、直流電力を発生させる電池パック２は性能の低下がない状態を保つ必要がある。
【００３５】
二次電池１０は使用状態や保管状態によって劣化の進行が異なるが、３〜６年の耐用年数であるため、異常や劣化状態を監視して、異常が発生したものや劣化が進行した電池パック２は寿命と判断して取り替える必要がある。二次電池の寿命判定は、各電池パック２の電池管理回路１１が記憶している二次電池１０の製造時期や充放電回数から判断することもできるが、無停電電源装置のように充放電が実行される頻度が少ない機器では二次電池２のインピーダンスを測定する方法によって寿命判定を行うのがより好ましい。
【００３６】
インピーダンス測定に基づく寿命判定は、電源管理部３により電池パック２の電力線路に２つの異なる抵抗値を有する擬似負荷を短時間接続するパルス放電を行い、放電電流量毎に各電池パック２の電池管理回路１１から出力される電池電圧の差を放電電流の差で割り算することによりインピーダンスを求め、測定されたインピーダンスが初期値から２倍以上になった場合に、二次電池１０が寿命に達していると判定する。
【００３７】
電源管理部３は上記インピーダンス測定による寿命判定の情報や電池パック２毎に記録されている充放電回数等の情報を総合的に判断して、二次電池１０が寿命に達していると判定した場合には、該当する電池パック２の表示ランプ２８を点灯させてユーザに電池パック２の交換を促す。更に、負荷装置Ａのディスプレイ上にも電池パック２の交換を促す表示をすることがより好ましい。
【００３８】
電池パック２を交換するときには、筐体６の正面に設けられた交換スイッチ２７を押圧すると、電源管理部３に交換情報が伝送されるので、電源管理部３は電池管理回路１１に対して情報伝送等を行っている場合には、それを停止する制御を行うので、電池パック２を筐体６から離脱させることができる。電池パック２の交換は通電状態であっても引き出すことにより取り外すことができ、交換する新しい電池パック２を挿入すると、電力線路及び情報伝送線路の接続がなされ、電源管理部３は新たに装着された電池パック２の電池管理回路１１から電池情報を読み出し、充電制御部５により二次電池１０に対する充電を開始する。
【００３９】
電池パック２の電池管理回路１１が備えるメモリには前述したように製造時期やＩＤ番号等の固有情報が予め書き込まれており、直流無停電電源装置１に装着されたときには、電源管理部３から使用開始時期や充電回数、放電回数等の情報が書き込まれる。メモリに対する情報の書き込みは、２つのメモリを設けて一旦一方のメモリに書き込み、書き込み情報の伝送が終了した後、他方のメモリに記憶されている情報を更新するように構成すると、情報伝送の途中で電池パック２が取り外された場合でも先の情報は保存される。
【産業上の利用可能性】
【００４０】
以上の説明の通り本発明に係る直流無停電電源装置は、負荷装置が要求する電圧の直流電力を出力する複数の二次電池と共に情報記憶及び動作状態検出の手段を一体化した電池パックを所要数並列接続して構成されているので、各電池パック毎の異常や劣化の状態を検出して交換対象の電池パックを抽出することができ、交換対象となった電池パックを取り出して新たな電池パックに入れ替えるだけなので、ユーザの手によって容易に交換作業を実施することができる。また、本発明に係る直流無停電電源装置は、負荷装置が必要とする直流電力を出力するので、インバータなどの交流−直流の変換装置が不要であり、負荷装置の消費電力に対応する出力電力の調整も容易であり、低コストの無停電電源装置に構成することができる。
【図面の簡単な説明】
【００４１】
【図１】実施形態に係る直流無停電電源装置の構成を示すブロック図。
【図２】電池パックの構成を示すブロック図。
【図３】電池パックの構造を示す斜視図。
【図４】直流無停電電源装置の構造を示す斜視図。
【図５】電池パックの接続構造を示す部分斜視図。
【図６】直流無停電電源装置の変形例を示すブロック図。
【符号の説明】
【００４２】
１  直流無停電電源装置
２  電池パック
３  電源管理部
４  放電制御部
５  充電制御部
６  筐体
７  電池パック収納部
１０  二次電池
１１  電池管理回路
１２  パックケース
１３  電力接続プラグ（接続手段）
１４  信号接続プラグ（接続手段）
１５  電力接続ソケット（接続手段）
１６  信号接続ソケット（接続手段）
１７  バックアップ電力出力端子
１８  情報出力端子
２２  温度センサ
２４  吸気口
２５  排気口
【図１】
2005176461.tif 000003
【図２】
2005176461.tif 000004
【図３】
2005176461.tif 000005
【図４】
2005176461.tif 000006
【図５】
2005176461.tif 000007
【図６】
2005176461.tif 000008